(57)【要約】【課題】容易かつ安価に製作でき、しかも、軽くて嵩張らず、取り扱いが容易なゴルフバッグ用運搬具を提供する。【解決手段】ゴルフバッグ用運搬具１は、ゴルフバッグの下端部の外周面に沿う円弧状の側板部２と、その側板部２の両端部を外向きに屈曲して一体形成される左右一対の軸止部３，３とを備えている。前記側板部２の下端縁には、ゴルフバッグの底面の外周縁沿いに係合させる底板部４が連設されている。左右の軸止部３，３間には、両端部に左右の車輪６，６を備えた車軸５が架設されている。側板部２の両端部間には、ゴルフバッグの外周面に巻き付けて固定される長さ調節が可能なベルト１０が取り付けられている。【選択図】  図１
2004261429.tif 000002
【特許請求の範囲】
【請求項１】
ゴルフバッグの下端部の外周面に沿う円弧状の側板部と、その側板部の両端部を外向きに屈曲して一体形成される左右一対の軸止部とを備え、前記側板部の下端縁にはゴルフバッグの底面の外周縁沿いに係合させる底板部が連設されており、左右の軸止部間には両端部に左右の車輪を備えた車軸が架設されるとともに、前記側板部の両端部間にゴルフバッグの外周面に巻き付けて固定される長さ調節が可能なベルトが取り付けられて成るゴルフバッグ用運搬具。
【請求項２】
前記側板部は、その全長がゴルフバッグの下端部の全周に対して９０度を超えない角度範囲に形成されている請求項１に記載されたゴルフバッグ用運搬具。
【請求項３】
前記底板部は、１枚の金属板を折り曲げることにより側板部および軸止部と一体に形成されている請求項１に記載されたゴルフバッグ用運搬具。
【発明の詳細な説明】
【０００１】
【産業上の利用分野】
この発明は、ゴルフバッグの下端部に装着することにより、ゴルフバッグの運搬を容易にするゴルフバッグ用運搬具に関する。
【０００２】
【従来の技術】
例えば、ゴルフ練習場などへのゴルフバッグの運搬は、ゴルフバッグに備えられたショルダーベルトを肩に掛け、ゴルフバッグを担ぐことにより行われる。ゴルフバッグには、通常、十数本のゴルフクラブが収容されているので、相当の重量になり、老若男女を問わず、これを担いで移動するには身体への負担が著しく大きなものとなる。
【０００３】
この問題を解消するのに、ゴルフバッグの下端部に装着してゴルフバッグの運搬を容易なものとするゴルフバッグ用簡易カートが提案されている（例えば、特許文献参照。）。この簡易カートは、バッグ底支持用の枠体と背の低い背凭れとを備え、前記枠体上にゴルフバッグを載置し、締縛バンドと垂直バンドとでゴルフバッグの底部を締め付けた後、背凭れに取り付けられた車輪が接地するようにゴルフバッグを傾けてゴルフバッグを移動させるものである。
【０００４】
【特許文献】
実開平３−１０４３６９号公報
【０００５】
【発明が解決しようとする課題】
しかしながら、上記したゴルフバッグ用簡易カートは部品点数が多く、製作に手数がかかるため、製作コストが高くついて高価になるうえに、取り外した後は重くて嵩張り、取り扱いにくい、という問題があった。
【０００６】
この発明は、上記問題に着目してなされたもので、容易かつ安価に製作でき、しかも、軽くて嵩張らず、取り扱いが容易なゴルフバッグ用運搬具を提供することを目的とする。
【０００７】
【課題を解決するための手段】
この発明によるゴルフバッグ用運搬具は、ゴルフバッグの下端部の外周面に沿う円弧状の側板部と、その側板部の両端部を外向きに屈曲して一体形成される左右一対の軸止部とを備えたものである。前記側板部の下端縁にはゴルフバッグの底面の外周縁沿いに係合させる底板部が連設されている。左右の軸止部間には両端部に左右の車輪を備えた車軸が架設されるとともに、前記側板部の両端部間にゴルフバッグの外周面に巻き付けて固定される長さ調節が可能なベルトが取り付けられている。
【０００８】
上記の構成において、「車軸」は、左右の車輪を支持する機能を有するとともに、軸止部間の間隔を保持して各軸止部の変形を防止するという補強機能も有する。
【０００９】
この発明の好ましい一実施態様においては、全体が嵩張らず軽量となすために、前記側板部は、その全長がゴルフバッグの下端部の全周に対して９０度を超えない角度範囲に形成されている。
【００１０】
また、この発明の好ましい一実施態様においては、製作を容易にするために、前記底板部は、１枚の金属板を折り曲げることにより側板部および軸止部と一体に形成されている。
【００１１】
【作用】
この発明のゴルフバッグ用運搬具は、ゴルフバッグの下端部の外周面に側板部を当て、ゴルフバッグの底面の外周縁沿いに底板部を係合させた後、ベルトをゴルフバッグの外周面に巻き付けて固定することによって、ゴルフバッグの下端部に装着される。ゴルフバッグ用運搬具が装着された側へゴルフバッグを傾け、ゴルフバッグの荷重を車輪に支持させた後、ゴルフバッグを引くことにより車輪が地面上を転動して移動させることができる。
【００１２】
【発明の実施の形態】
図１および図２は、この発明の一実施例であるゴルフバッグ用運搬具１の構成を示している。
図示例のゴルフバッグ用運搬具１は、ゴルフバッグの下端部の外周面に沿う円弧状の側板部２と、その側板部２の両端部を外向きに屈曲して一体形成された左右一対の軸止部３，３とを備えたものである。
【００１３】
前記側板部２は、その全長がゴルフバッグの下端部の全周に対して９０度を超えない角度範囲（望ましくは７０度）に形成されており、板面には全体の重量を軽くするために開口２ａ，２ａが形成されている。前記側板部２の下端縁には、ゴルフバッグの底面の外周縁沿いに係合させる底板部４が連設されている。
【００１４】
上記した側板部２、軸止部３，３、および底板部４は、ステンレスなどの薄板状の金属板を打ち抜いた後に曲げ加工を施して一体に形成されるもので、図３に打ち抜かれた金属板２０が示してある。図示の金属板２０は、側板部２に軸止部３，３が左右に連続し、側板部２と各軸止部３，３との間に２本の折線２ｂ，２ｃがそれぞれ設定されている。側板部２を湾曲させかつ、各折線２ｂ，２ｃの位置で金属板２０をそれぞれ外向きに折り曲げて、各軸止部３，３を互いに向き合うよう形成する。底板部４は、幅が狭い矩形状であり、側板部２と底板部４との連設位置に設定された折線４ａに沿って上向きに９０度だけ折り曲げることにより形成される。なお、図中、２ｄは側板２の湾曲と底板部４の屈曲とにより生ずる歪みを吸収するための切欠である。また、底板部４は、側板部２と別の部材で形成して、側板部２の下端縁に溶接してもよい。
【００１５】
左右の軸止部３，３間には、図２に示すように、両端部に左右の車輪６を備えた車軸５が架設される。車軸５は、ステンレスなどの金属棒から成り、両端部にねじ溝（図示せず。）が形成されている。各軸止部３には、円形の軸止孔３ａが開設されており、各軸止孔３ａ，３ａに車軸５の両端部を挿通させている。各軸止部３より外方へ突出した車軸５の端部には車輪６，６がそれぞれ嵌め込まれ、ねじ８によって抜け止めされている。
前記車軸５は、軸止孔３ａの位置で軸止部３と溶接により止着されている。この車軸５は軸止部３，３間の間隔を保持して各軸止部３の変形を防止する。
【００１６】
側板部２の下端縁から軸止孔３ａの中心までの高さＨは、図４に示すように、車輪６の半径と一致させてあり、これにより、側板部２の下端縁と底板部４の下面とが車輪６とともに地面に接地することになり、車輪６の回動が阻止される。ゴルフバッグ用運搬具１を車軸５を中心に側板部２を上向きに傾けると、側板部２の下端縁と底板部４の下面とが地面から離れて車輪６のみが接地するので、車輪６は回動可能となる。
【００１７】
前記側板部２の両端部間には、ゴルフバッグの下端部の外周面に巻き付けて固定される長さ調節が可能なベルト１０が取り付けられている。ベルト１０は、弾性材などから成る左右一対の帯状体１１，１１と、合成樹脂製のバックル１２とで構成される。各帯状体１１，１１は、ゴルフバッグの下端部の周長さの半分程度の長さを有する。
【００１８】
バックル１２は、互いに係脱が可能な雌部材１２ａと雄部材１２ｂとで構成されており、雌部材１２ａと雄部材１２ｂとに長さ調節具１３を介して帯状体１１の一端部がそれぞれ接続されている。
側板部２の両端部には留め金具９，９が取り付けてあり、各留め金具９に帯状体１１の他端部が止着されている。
【００１９】
上記した構成のゴルフバッグ用運搬具１をゴルフバッグ５１に装着するには、図５（１）に示すように、側板部２はゴルフバッグ５１の下端部５４の外周面に当て、底板部４はゴルフバッグ５１の底面の外周縁に係合させて、ゴルフバッグ用運搬具１を位置決めする。
つぎに、ベルト１０をゴルフバッグ５１の下端部５４の外周面に装着してゴルフバッグ用運搬具１を固定する。
【００２０】
つぎに、ゴルフバッグ５１のショルダーベルト５２を後ろ手に持って引っ張ると、図５（２）に示すように、ゴルフバッグ５１が傾き、車輪６のみが接地した状態となって回動が可能になり、ゴルフバッグ５１を移動させることができる。
【００２１】
【発明の効果】
この発明のゴルフバッグ用運搬具は、製作が容易であるから、製作コストを低く抑えることができ、また、軽量であるから、着脱時の取り扱いが容易である。さらに、ゴルフバッグから取り外した後も嵩張らず、バッグなどに収納して携帯するのに支障がない。
【図面の簡単な説明】
【図１】この発明の一実施例であるゴルフバッグ用運搬具の外観を示す斜視図である。
【図２】ゴルフバッグ用運搬具の外観を示す平面図である。
【図３】打ち抜かれた金属板を示す正面図である。
【図４】ゴルフバッグ用運搬具の断面図である。
【図５】ゴルフバッグ用運搬具の使用状態を示す側面図である。
【符号の説明】
１    ゴルフバッグ用運搬具
２    側板部
３    軸止部
４    底板部
５    車軸
６    車輪
１０  ベルト
【図１】
2004261429.tif 000003
【図２】
2004261429.tif 000004
【図３】
2004261429.tif 000005
【図４】
2004261429.tif 000006
【図５】
2004261429.tif 000007